(57)【要約】【課題】給油装置上に設置する貨幣取扱装置において、硬貨の回収および補充作業を増加させることなく、小型化を実現する。【手段】表裏両面の硬貨投入口４３１Ａ，４３２Ａから投入された硬貨の金種を識別して金種別に分配する。分配された硬貨のうち、一円硬貨、十円硬貨および百円硬貨を金種別に一系硬貨貯留群４４６、五円硬貨、五十円硬貨および五百円硬貨を金種別に五系硬貨貯留群４４７にそれぞれ貯留する。五系硬貨貯留群４４７を構成する五系硬貨貯留庫４４７ａ，４４７ｂ，４４７ｃの各容量を、一系硬貨貯留群４４６を構成する一系硬貨貯留庫４４６a，４４６ｂ，４４６ｃの各容量よりも小さくする。【選択図】図７
0003172640.tif 000002
【実用新案登録請求の範囲】
【請求項１】
自動車用等の燃料油を給油する給油部を表裏両面に備えた給油装置上に設置され、前記表裏両面の給油部に対して共通の貨幣取扱装置であって、
筐体と、
該筐体の表裏両面にそれぞれ開口して硬貨が投入される硬貨投入口と、
前記投入された硬貨の金種を識別する硬貨識別部と、
前記金種が識別された硬貨を金種別に分配する硬貨分配部と、
前記分配された硬貨のうち、一円硬貨、十円硬貨および百円硬貨を金種別にそれぞれ貯留する一系硬貨貯留群と、
前記分配された硬貨のうち、五円硬貨、五十円硬貨および五百円硬貨を金種別にそれぞれ貯留する五系硬貨貯留群とを備え、
該五系硬貨貯留群を構成する五系硬貨貯留庫の各容量が、前記一系硬貨貯留群を構成する一系硬貨貯留庫の各容量よりも小さいことを特徴とする貨幣取扱装置。
【請求項２】
前記五系硬貨貯留群が、前記五系硬貨貯留庫を互いに隣接配置して構成されているものであり、前記一系硬貨貯留群が、前記一系硬貨貯留庫を互いに隣接配置して構成されていることを特徴とする請求項１に記載の貨幣取扱装置。
【請求項３】
前記硬貨分配部が、前記金種が識別された硬貨を搬送して該硬貨を分配するものであり、
前記硬貨識別部、前記一系硬貨貯留群および前記五系硬貨貯留群が、前記硬貨を搬送する方向に前記硬貨識別部、前記一系硬貨貯留群および前記五系硬貨貯留群の順に前記筐体内に配置されていることを特徴とする請求項１または２に記載の貨幣取扱装置。
【請求項４】
前記硬貨分配部が、金種毎の落下穴がそれぞれ形成された搬送路を備え、該搬送路上を前記金種が識別された硬貨を搬送し、硬貨を硬貨の金種に対応する前記落下穴にそれぞれ落下させて分配するように構成されていることを特徴とする請求項１〜３のいずれか1項に記載の貨幣取扱装置。
【請求項５】
前記搬送路が、前記硬貨を搬送する方向に一円、百円、十円、五十円、五円、および五百円の金種順に並ぶ前記落下穴が形成されたものであることを特徴とする請求項４に記載の貨幣取扱装置。
【考案の詳細な説明】
【技術分野】
【０００１】
本考案は自動車用等の燃料油販売に用いられる貨幣取扱装置に関する。より詳しくは、表裏両面に給油部を備えた給油装置上に設置され、表裏両面の給油部に対応する貨幣取扱装置に関する。
【背景技術】
【０００２】
近年、利用者自身が給油作業を行うセルフ給油方式の給油所が普及しつつある。このようなセルフ給油方式の給油所では、利用者の負担を軽減させるために給油装置の利用方法や、料金の精算を分かりやすく行うことが求められている。
【０００３】
そして、この精算方式も、現金、プリペイドカード等と多種多様であり、これらを纏めて処理するために販売時点情報管理方式（以下、ＰＯＳシステムという）が導入されている。したがって、セルフ給油方式の給油所では、ＰＯＳ端末機と貨幣取扱装置とからなる燃料油販売装置が給油装置とともに設置されている。
【０００４】
特許文献１には、各レーンに対応した給油装置をアイランド上にそれぞれ設け、当該アイランド上に各給油装置に対応する両面型燃料油販売装置を独立して設けることが提案されている。また、近年では、図１４に示すように、給油装置上に燃料油販売装置を設けた両面型給油販売装置が提案されている。
【０００５】
この燃料油販売装置における貨幣取扱装置は、燃料油の料金として入金された貨幣を金種別に各貯留庫に貯留し、この貯留された貨幣を釣銭として出金する、いわゆる還流方式を採用するものが一般的である。そして、これらの貨幣取扱装置に対し、近年では、小型化への要望が高まっている。
【先行技術文献】
【特許文献】
【０００６】
【特許文献１】特開２００９−１９９６２８号公報
【考案の概要】
【考案が解決しようとする課題】
【０００７】
しかしながら、従来の貨幣取扱装置においては、いずれの硬貨も同一容量の貯留庫でそれぞれ貯留しており、貨幣取扱装置自体を小型化するためには各貯留庫を一律に小型化させることになる。したがって、入金枚数が相対的に多い金種の硬貨を貯留する貯留庫は、直ぐに一杯となってしまうため、当該貯留庫からの硬貨を回収する作業が増加したり、出金枚数が相対的に多い金種の硬貨を貯留する貯留庫は、直ぐに空となってしまい、当該貯留庫への硬貨を補充する作業が増加することにより、これらの回収および補充に起因する給油の中断が高頻度化する虞がある。
【０００８】
取引の経過に伴う出金硬貨の累計枚数については、五円硬貨、五十円硬貨および五百円硬貨から構成される、いわゆる五系硬貨が、一円硬貨、十円硬貨および百円硬貨から構成される、いわゆる一系硬貨より相対的に少ないことが想定される。本考案者は、改めて入金を含む取引の実態における硬貨の金種別の入出金枚数と貯留庫の容量との関係に着目して鋭意検討を重ねたところ、貨幣取扱装置の硬貨の取扱において、五系硬貨は、一系硬貨と比較して取引の経過に伴う入出金累計枚数が確かに相対的に少ないことを見出した。
【０００９】
本考案の目的は、上記事情に鑑み、硬貨の回収および補充作業を増加させることなく、小型化できる貨幣取扱装置を提供することである。
【課題を解決するための手段】
【００１０】
上記課題を解決するために、本考案による貨幣取扱装置は、自動車用等の燃料油を給油する給油部を表裏両面に備えた給油装置上に設置され、表裏両面の給油部に対して共通の貨幣取扱装置であって、筐体と、筐体の表裏両面にそれぞれ開口して硬貨が投入される硬貨投入口と、投入された硬貨の金種を識別する硬貨識別部と、金種が識別された硬貨を金種別に分配する硬貨分配部と、分配された硬貨のうち、一円硬貨、十円硬貨および百円硬貨を金種別にそれぞれ貯留する一系硬貨貯留群と、分配された硬貨のうち、五円硬貨、五十円硬貨および五百円硬貨を金種別にそれぞれ貯留する五系硬貨貯留群とを備え、五系硬貨貯留群を構成する五系硬貨貯留庫の各容量が、一系硬貨貯留群を構成する一系硬貨貯留庫の各容量よりも小さいことを特徴とする。ここで、本考案の貨幣取扱装置における「表裏両面の給油部に対して共通」とは、表裏両面の給油部の給油における貨幣の取扱に対して共通に用いられるという意味である。
【００１１】
また、本考案による貨幣取扱装置は、五系硬貨貯留群が、五系硬貨貯留庫を互いに隣接配置して構成されているものであり、一系硬貨貯留群が、一系硬貨貯留庫を互いに隣接配置して構成されているものであってもよい。ここで、本考案による貨幣取扱装置における「互いに隣接配置して構成」とは、各硬貨貯留庫が接触して配置される状態に限定されるものではなく、各硬貨貯留庫が所定の隙間を空けて近接して配置される状態をも含む意味である。
【００１２】
また、本考案による貨幣取扱装置は、硬貨分配部が、金種が識別された硬貨を搬送して硬貨を分配するものであり、硬貨識別部、一系硬貨貯留群および五系硬貨貯留群が、硬貨を搬送する方向に硬貨識別部、一系硬貨貯留群および五系硬貨貯留群の順に筐体内に配置されているものであってもよい。
【００１３】
また、本考案による貨幣取扱装置は、硬貨分配部が、金種毎の落下穴がそれぞれ形成された搬送路を備え、搬送路上を金種が識別された硬貨を搬送し、硬貨を硬貨の金種に対応する落下穴にそれぞれ落下させて分配するように構成されているものであってもよい。ここで、本考案による貨幣取扱装置における「硬貨の金種に対応する落下穴」とは、硬貨の金種に応じて特定される落下穴を意味する。
【００１４】
また、本考案による貨幣取扱装置は、搬送路が、硬貨を搬送する方向に一円、百円、十円、五十円、五円、および五百円の金種順に並ぶ落下穴が形成されたものであってもよい。
【考案の効果】
【００１５】
本考案の貨幣取扱装置によれば、筐体の表裏両面にそれぞれ開口する硬貨投入口から投入された硬貨の金種を識別して金種別に分配し、分配された硬貨のうち、一円硬貨、十円硬貨および百円硬貨を金種別に一系硬貨貯留群、五円硬貨、五十円硬貨および五百円硬貨を金種別に五系硬貨貯留群にそれぞれ貯留する。そして、五系硬貨貯留群を構成する五系硬貨貯留庫の各容量を、一系硬貨貯留群を構成する一系硬貨貯留庫の各容量よりも小さくする。したがって、取引の経過に伴う必要枚数が相対的に少ない五系硬貨を貯留する五系硬貨貯留群を相対的に小型化させることで硬貨の回収および補充作業を増加させることなく、貨幣取扱装置を小型化できる。
【００１６】
また、本考案による貨幣取扱装置によれば、五系硬貨貯留群が、五系硬貨貯留庫を互いに隣接配置して構成されているものであり、一系硬貨貯留群が、一系硬貨貯留庫を互いに隣接配置して構成されているものであるため、同じ容量の貯留庫同士を纏めて配置することで駆動機構等を共通化させることが可能となり、貨幣取扱装置をより小型化できる。
【図面の簡単な説明】
【００１７】
【図１】両面型給油販売装置の外観正面図
【図２】両面型給油販売装置の外観背面図
【図３】両面型燃料油販売装置の外観正面図
【図４】両面型燃料油販売装置の外観背面図
【図５】両面型燃料油販売装置の外観平面図
【図６】セルフ方式の給油所における給油システムの構成図
【図７】貨幣取扱装置の構成図
【図８】貨幣取扱装置内の在高数（枚数）のシミュレーションを示す図
【図９】累計１０００取引における各硬貨の入金・出金枚数を示す図
【図１０】貨幣取扱装置の構造図
【図１１】硬貨分配部の一部斜視図
【図１２】硬貨の分配を示す図（その１）
【図１３】硬貨の分配を示す図（その２）
【図１４】従来の両面型給油販売装置の構成図
【考案を実施するための形態】
【００１８】
以下、本考案の一実施形態について図面を用いて説明する。図１および図２は、本考案による貨幣取扱装置の一実施形態を用いた両面型給油販売装置１の構成を示すものである。両面型給油販売装置１は、アイランド上に配置され、両面型給油販売装置１の表裏両側の各レーンに停車する車両に給油を行うとともに、各レーンでの給油におけるガイダンスや精算を行うものである。本実施形態において、図１は両面型給油販売装置１を表側からみた外観正面図、図２は両面型給油販売装置１を裏側からみた外観背面図とする。なお、本実施形態における表裏は特に限定されるものではない。
【００１９】
両面型給油販売装置１は、図１および図２が示すように、門型のフレーム２と、フレーム２内に配設された給油装置３と、給油装置３上に配設された両面型燃料油販売装置４とから構成されている。
【００２０】
最初に給油装置３について説明する。給油装置３は、両面型燃料油販売装置４に隣接する給油表示部３１と、複数の油種、例えばレギュラーガソリン、ハイオクガソリン、軽油の３油種を給油できる給油部３２Ａ，３２Ｂを表裏両面にそれぞれ備えている。給油表示部３１は、実際に給油した給油量や燃料油の単価等を示す給油表示画面３１Ａ，３１Ｂを表裏両面にそれぞれ有している。
【００２１】
給油部３２Ａ，３２Ｂは、油種毎の給油ノズル３２１Ａ，３２１Ｂ、給油ノズル３２１Ａ，３２１Ｂを保持するノズル保持部３２２Ａ，３２２Ｂ、および先端が給油ノズル３２１Ａ，３２１Ｂに接続され、フレーム２内を通り、基端が両面型給油販売装置１下の不図示の油圧機構部に接続されている給油ホース３２３Ａ，３２３Ｂを備えている。
【００２２】
次に両面型燃料油販売装置４について説明する。図３は、図１を要部拡大した両面型燃料油販売装置４の外観正面図、図４は図２を要部拡大した両面型燃料油販売装置４の外観背面図である。図５は両面型燃料油販売装置４の外観平面図である。
【００２３】
両面型燃料油販売装置４は、給油部３２Ａ，３２Ｂでの給油に対するガイダンス、精算および領収書の発行を行うものである。そして、両面型燃料油販売装置４は、シャーシ４１、シャーシ４１内に収容された１台のＰＯＳ端末機４２およびＰＯＳ端末機４２と隣接してシャーシ４１内に収容された、本考案の一実施形態である１台の貨幣取扱装置４３で構成されている。なお、ＰＯＳ端末機４２は、表面側および裏面側にそれぞれ分割されて構成されたものであってもよい。そして、この貨幣取扱装置４３は、給油部３２Ａ，３２Ｂでの貨幣の取扱に対して共通して用いられるものである。
【００２４】
シャーシ４１は給油装置に組み込まれるＰＯＳ端末機の日本国内業界標準規格の大きさを有するものであり、両面型燃料油販売装置４は、当該規格を満たす設置スペースを有する給油装置３上であれば設置可能であり、汎用性を有している。すなわち、両面型燃料油販売装置４は、剛性の高い鋼製等のシャーシ４１にＰＯＳ端末機４２と貨幣取扱装置４３とが組み付けられて、全体として一体として構成されている。
【００２５】
両面型燃料油販売装置４の詳細を説明する前に、両面型給油販売装置１を設置したセルフ給油方式の給油所における給油システムについて説明する。図６は給油システムの構成図である。
【００２６】
セルフ給油方式の給油所においては、図６に示すようにＰＯＳシステムが導入されている。このＰＯＳシステムでは、給油所内に設置したＰＯＳ本体機５とＰＯＳ端末機４２とをＰＯＳ専用ＬＡＮで接続し、ＰＯＳ本体機５、給油装置３および貨幣取扱装置４３を給油所標準規格ＬＡＮ（以下、ＳＳ−ＬＡＮという。）で接続している。また、ＰＯＳ端末機４２と貨幣取扱装置４３とは不図示のケーブルを介して外部接続している。なお、本実施形態では、貨幣取扱装置４３が、ＳＳ−ＬＡＮおよび外部接続の２つの経路で通信するものとして説明するが、ＰＯＳ本体機５との通信内容を外部接続のみを使用して、ＰＯＳ端末機４２を経由して通信する構成であってもよい。
【００２７】
このＰＯＳシステムの作用について説明する。ＰＯＳ端末機４２が、人物感知センサ等により利用者の接近を感知すると、両面型給油販売装置１の利用案内ガイダンスを開始する。次に、ＰＯＳ端末機４２は、給油作業に先立って利用者による油種、給油量および精算方式等の給油条件を受け付け、受け付けた各種情報をＰＯＳ専用ＬＡＮを介してＰＯＳ本体機５へ送信する。
【００２８】
現金による精算の場合、貨幣取扱装置４３が、硬貨および／または紙幣による入金を受け付け、入金額をＳＳ−ＬＡＮを介してＰＯＳ本体機５へ送信する。また、現金以外のクレジットカード、プリペイドカードまたは電子マネーによる精算の場合、ＰＯＳ端末機４２が各種カード、電子マネー等の情報を読み取り、ＰＯＳ本体機５へ送信する。
【００２９】
給油所の販売員が給油作業を安全に行えることを確認すると、ＰＯＳ本体機５が給油装置３に利用許可を送信する。利用者がノズル保持部３２２Ａ，３２２Ｂから給油ノズル３２１Ａ，３２１Ｂを取り外して給油作業を開始する。
【００３０】
給油装置３が、給油を開始して給油表示画面３１Ａ，３１Ｂに実際の給油量を表示する。利用者が給油ノズル３２１Ａ，３２１Ｂをノズル保持部３２２Ａ，３２２Ｂに戻して給油作業を終了する。給油装置３は、給油中に実際に給油した油種、給油量をＳＳ−ＬＡＮを介してＰＯＳ本体機５へ送信する。ＰＯＳ本体機５が、料金を計算し、ＰＯＳ専用ＬＡＮを介してＰＯＳ端末機４２に精算結果とレシートの発行情報を送信し、釣銭に関する情報はＳＳ−ＬＡＮを介して貨幣取扱装置４３に釣銭払い出しが可能な情報を送信する。
【００３１】
現金による精算であって釣銭が必要な場合、貨幣取扱装置４３が、硬貨および／または紙幣の出金を行う。現金以外の精算である場合、ＰＯＳ本体機５が、読み取ったカード等の情報に基づいて精算処理を行う。そして、ＰＯＳ端末機４２が領収書の発行を行う。
【００３２】
再び図３ないし図５を参照して説明する。ＰＯＳ端末機４２は、ＰＯＳ端末機４２の筐体４２Ａの表裏両面に、表示操作画面４２１Ａ，４２１Ｂ、クレジットカードやプリペイドカード等の各種カード情報を読み取るカード情報読取部４２５Ａ，４２５Ｂ、電子マネー媒体の情報を読み取る電子マネー情報読取部４２３Ａ，４２３Ｂ、音声ガイダンスを行うスピーカー４２４Ａ，４２４Ｂおよび領収書を発行する領収書発行部４２２Ａ，４２２Ｂをそれぞれ備えている。なお、ＰＯＳ端末機４２は、表示操作画面４２１Ａ，４２１Ｂ以外の上記の構成（不図示のインターホンを含む）を機能要求に応じて適宜取捨選択できるものである。
【００３３】
表示操作画面４２１Ａ，４２１Ｂは、液晶画面と当該液晶表示画面の前面に設けられたタッチパネルで構成され、ガイダンスの表示、給油条件の受け付けおよび貨幣取扱装置４３のメンテナンス操作を行うものである。
【００３４】
カード情報読取部４２５Ａ，４２５Ｂは、不図示のカード挿入口に挿入された各種カードの情報を読み取るものである。電子マネー情報読取部４２３Ａ，４２３Ｂは、電子マネー媒体の情報を読み取るものである。領収書発行部４２２Ａ，４２２Ｂは、内蔵されたプリンタで印刷された領収書を不図示のレシート排出口から排出するものである。また、ＰＯＳ端末機４２は、前述の通り、不図示の人物感知センサを備えるものである。
【００３５】
次に本考案の一実施形態である貨幣取扱装置４３について説明する。最初に貨幣取扱装置４３の外部構成について説明する。貨幣取扱装置４３は、表裏両側の給油部３２Ａ，３２Ｂによる給油代金の現金による入金および出金（釣銭）に対して、入金用の紙幣および／または硬貨の受け取りおよび貯留、出金用の紙幣および／または硬貨の貯留および払い出しを行うものである。貨幣取扱装置４３は、図３および図４に示すように、入金用の硬貨が投入される硬貨投入部４３１，４３２、出金用の硬貨が払い出される硬貨払出部４３３，４３４、入金用および出金用の紙幣が投入および払い出される紙幣投入払出部４３５，４３６を筐体４３Ａの表裏両面にそれぞれ備えている。
【００３６】
硬貨投入部４３１，４３２は、筐体４３Ａの表裏両面に開口する硬貨投入口４３１Ａ，４３２Ａ、筐体４３Ａに開閉自在に支持されて硬貨投入口４３１Ａ，４３２Ａを露出または遮蔽する投入扉４３１Ｂ，４３２Ｂを備えている。利用者は、投入扉４３１Ｂ，４３２Ｂを開けて硬貨投入口４３１Ａ，４３２Ａに硬貨を１枚ずつ投入する。
【００３７】
硬貨払出部４３３，４３４は、筐体４３Ａの表裏両面に開口する硬貨払出口４３３Ａ，４３４Ａ、筐体４３Ａから突出し、払い出された硬貨を収容する硬貨収容皿４３３Ｂ，４３４Ｂ、筐体に開閉自在に支持され硬貨収容皿４３３Ｂ，４３４Ｂに払い出された硬貨を露出または遮蔽する払出扉４３３Ｃ，４３４Ｃを備えている。利用者は、払出扉４３３Ｃ，４３４Ｃを開けて硬貨払出口４３３Ａ，４３４Ａから払い出されて硬貨収容皿４３３Ｂ，４３４Ｂに収容されている硬貨を受け取る。
【００３８】
紙幣投入払出部４３５，４３６は、筐体４３Ａの表裏両面に開口する紙幣投入払出口４３５Ａ，４３６Ａ、筐体４３Ａに開閉自在に支持されて紙幣投入払出口４３５Ａ，４３６Ａを露出または遮蔽する投入払出扉４３５Ｂ，４３６Ｂを備えている。利用者は、投入払出扉４３５Ｂ，４３６Ｂを開けて紙幣投入払出口４３５Ａ，４３６Ａに紙幣を投入、または紙幣投入払出口４３５Ａ，４３６Ａから紙幣を受け取る。
【００３９】
次に貨幣取扱装置４３の内部構成について説明する。図７は貨幣取扱装置４３の構成図である。貨幣取扱装置４３は、図７に示すように、硬貨投入口４３１Ａ，４３２Ａのそれぞれから投入された硬貨を導く入金経路４３７、導かれた硬貨の真贋と金種とを認識するとともに、各硬貨の枚数を計数する硬貨識別部４３８、硬貨識別部４３８から硬貨を受け取り、所定方向に搬送して金種別に下方に落下させることで分配する硬貨分配部４４５を備えている。なお、真贋判定により贋と判定された硬貨は、硬貨分配部４４５に達する前に不図示のリジェクト機構により硬貨収容皿４３３Ｂまたは４３４Ｂに返却される。
【００４０】
さらに貨幣取扱装置４３は、搬送方向の上流に配置され、分配された硬貨のうち、一円硬貨、十円硬貨および百円硬貨を貯留する一系硬貨貯留群４４６、搬送方向の下流に配置され、分配された硬貨のうち、五円硬貨、五十円硬貨および五百円硬貨を貯留する五系硬貨貯留群４４７、貯留された硬貨を出金用（釣銭用）として硬貨払出口４３３Ａ，４３４Ａに搬出する硬貨搬出部４４０、紙幣投入払出口４３５Ａ，４３６Ａから投入された入金用の紙幣を搬入するとともに、紙幣投入払出口４３５Ａ，４３６Ａに出金用（釣銭用）の紙幣を搬出する紙幣搬送部４４１、搬入された紙幣の真贋と金種とを認識するとともに、各紙幣の枚数を計数する紙幣認識計数部４４２、真贋と金種との認識および枚数が計数された紙幣を金種別に一括して貯留する紙幣貯留部４４３および制御部４４４を備えている。
【００４１】
硬貨搬出部４４０および紙幣搬送部４４１は、搬送コンベアで構成されているが、特に限定されるものではなく、硬貨搬出部４４０は出金用（釣銭用）の硬貨を硬貨払出口４３３Ａ，４３４Ａに搬出できるものであればよく、紙幣搬送部４４１は表裏両面それぞれから投入された紙幣を搬送できるものであればよく、図７に示すように、表からの搬送、共通の搬送、裏からの搬送の３つの搬送手段から構成されることが望ましい。また、紙幣認識計数部４４２は、表裏それぞれから投入された紙幣の真贋と金種、すなわち千円札、二千円札、五千円札および一万円札を認識して各枚数を計数するものである。
【００４２】
制御部４４４は、貨幣取扱装置４３の全体を制御するとともに、前述の通り、ＳＳ−ＬＡＮを介してＰＯＳ本体機５と入出金情報を通信し、もしくは、ＰＯＳ端末機４２と外部接続してメンテナンス情報を通信するものである。すなわち、貨幣取扱装置４３内で発生するエラー情報や状態を隣接するＰＯＳ端末機４２の表示操作画面４２１Ａ，４２１Ｂを用いて、専用のメンテナンス用プログラムによって表示させることができる。
【００４３】
一系硬貨貯留群４４６は、一円硬貨を貯留する一円硬貨貯留庫４４６ａ、百円硬貨を貯留する百円硬貨貯留庫４４６ｂおよび十円硬貨を貯留する十円硬貨貯留庫４４６ｃから構成されるものであり、硬貨分配部４４５の下方において、一円硬貨貯留庫４４６ａ、百円硬貨貯留庫４４６ｂ、十円硬貨貯留庫４４６ｃの順に搬送方向に互いに隣接配置されるものである。
【００４４】
五系硬貨貯留群４４７は、五十円硬貨を貯留する五十円硬貨貯留庫４４７ａ、五円硬貨を貯留する五円硬貨貯留庫４４７ｂおよび五百円硬貨を貯留する五百円硬貨貯留庫４４７ｃから構成されるものであり、硬貨分配部４４５の下方において、五十円硬貨貯留庫４４７ａ、五円硬貨貯留庫４４７ｂ、五百円硬貨貯留庫４４７ｃの順に搬送方向に互いに隣接配置されるものである。
【００４５】
ここで、貨幣取扱装置４３の取引における各硬貨の入出金枚数について説明する。図８は、貨幣取扱装置４３内の硬貨の枚数推移を示すシミュレーション図である。図８は、１０００回の取引データに基づいて、取引開始時の貨幣取扱装置４３内の在高数（枚数）を０として取引開始後に硬貨の補充および回収を行わなかった場合の各硬貨の出金があった場合はマイナス、入金があった場合はプラスとして在高数（枚数）を金種別に１０００回の取引に亘ってシミュレーションしたものである。すなわち、取引の経過とともに増加するマイナス値は、符号を逆転させれば、取引開始時からその時点までに貯留庫に必要とされる枚数となる。
【００４６】
図８に示すように、取引の経過に伴い五系硬貨における各硬貨の在高数は、一系硬貨における各硬貨よりもマイナス度合いが少ない。これは、五系硬貨の累計入出金枚数が一系硬貨の累計入出金枚数よりも相対的に少ないことを示している。図９は、この１０００取引における各硬貨の入出金枚数を示す図である。具体的に、この１０００回の取引においては、図９に示すように、５００円硬貨では入金が６５枚、出金が１０９枚、累計−４４枚であり、同様に五十円硬貨では、それぞれ５２枚，１４３枚，−９１枚、五円硬貨では、それぞれ３８枚，１４３枚，−１０５枚、百円硬貨では、それぞれ２５８枚，４９２枚，−２３４枚、十円硬貨では、それぞれ２２２枚，５５７枚，−３３５枚、一円硬貨では、それぞれ１８４枚，５８４枚，−４００枚であった。すなわち取引の経過に伴い貯留庫が必要とする枚数は、五系硬貨が一系硬貨に対して相対的に少ないことを示している。
【００４７】
したがって、五系硬貨貯留群４４７を構成する五十円硬貨貯留庫４４７ａ、五円硬貨貯留庫４４７ｂおよび五百円硬貨貯留庫４４７ｃの各容量は、一系硬貨貯留群４４６を構成する一円硬貨貯留庫４４６ａ、百円硬貨貯留庫４４６ｂおよび十円硬貨貯留庫４４６ｃの各容量よりも小さくすることが可能であり、貨幣取扱装置を小型化する上でも有利である。
【００４８】
一系硬貨貯留群４４６および五系硬貨貯留群４４７の詳細について説明する。図１０は、貨幣取扱装置４３の構造図である。本実施形態において、貨幣取扱装置４３は、図１０に示すように、一円硬貨貯留庫４４６ａ、百円硬貨貯留庫４４６ｂおよび十円硬貨貯留庫４４６として、相対的に貯留容量の大きい回転円盤繰り出し方式のコインホッパ貯留装置を、五十円硬貨貯留庫４４７ａ、五円硬貨貯留庫４４７ｂおよび五百円硬貨貯留庫４４７ｃとして、相対的に貯留容量を小さくしたベルト繰り出し方式の箱型硬貨貯留装置をそれぞれ採用している。
【００４９】
また、図１０に示すように、五十円硬貨貯留庫４４７ａ、五円硬貨貯留庫４４７ｂおよび五百円硬貨貯留庫４４７ｃを矩形の箱型として互いに隣接配置することにより、占有スペースにおける各硬貨の貯留効率を上げるとともに上記の各貯留装置の硬貨繰り出し部を構成するベルトの駆動機構（モータ等）を共通化することにより、五系硬貨貯留群４４７自体を小型化している。
【００５０】
また、貨幣取扱装置４３は、前述の通り、図中矢印で示す硬貨分配部４４５の搬送方向に、硬貨識別部４３８、一系硬貨貯留群４４６、五系硬貨貯留群４４７を配置するものである。すなわち一系硬貨貯留群４４６が、硬貨識別部４３８と五系硬貨貯留群４４７との間に配置されることにより、出金枚数の多い一系硬貨が筐体４３内の略中央から搬出されるため、出金時における表裏両面の硬貨払出口４３３Ａ，４３４Ａでの払出までの時間が略等しくすることができる。
【００５１】
次に硬貨分配部４４５の詳細について説明する。なお、図１０においてその位置を明示していないが、硬貨分配部４４５は硬貨識別部４３８を通過した硬貨が、一系硬貨貯留群４４６または五系硬貨貯留群４４７に落下するよう、これらの貯留群を覆う位置に配置されている。図１１は硬貨分配部４４５の一部斜視図である。硬貨分配部４４５は、硬貨識別部４３８から受け取った硬貨が搬送される搬送路４４５ａ、受け取った硬貨を所定方向に搬送するベルト搬送機構４４５ｂを備えている。このベルト搬送機構４４５ｂは、搬送ベルトで各硬貨の表面または裏面を搬送面４４５ｃ上に押し付けるとともに、各硬貨の外周面を基準面４４５ｄに当接するように搬送するものである。
【００５２】
また、硬貨分配部４４５は、硬貨の外周面が基準面４４５ｄに当接しながら硬貨を搬送する方法としては、搬送路４４５ａ自体を傾斜させたり、ベルト搬送機構４４５ｂの搬送ベルトを徐々に基準面４４５ｄに近づける等の公知の手法を採用することができる。また、硬貨分配部４４５は、その先端が基準面４４５ｄから突出または没入するソレノイド４４５ｅを備えている。
【００５３】
搬送路４４５ａには、搬送中の硬貨を金種別に落下させる硬貨落下穴が設けられている。前述の通り、硬貨分配部４４５の下方には、搬送方向順に一系硬貨貯留群４４６を構成する一円硬貨貯留庫４４６ａ、百円硬貨貯留庫４４６ｂ、十円硬貨貯留庫４４６ｃ、五系硬貨貯留群４４７を構成する五十円硬貨貯留庫４４７ａ、五円硬貨貯留庫４４７ｂ、五百円硬貨貯留庫４４７ｃが設けられているため、搬送路４４５ａにも、搬送方向順に一円硬貨落下穴Ｈ１、百円硬貨落下穴Ｈ２、十円硬貨落下穴Ｈ３、五十円硬貨落下穴Ｈ４、五円硬貨落下穴Ｈ５、五百円硬貨落下穴Ｈ６からなる６つの落下穴が形成されている。なお、図１１では、一円硬貨落下穴Ｈ１、百円硬貨落下穴Ｈ２のみを図示し、十円硬貨落下穴Ｈ３、五十円硬貨落下穴Ｈ４、五円硬貨落下穴Ｈ５、五百円硬貨落下穴Ｈ６の図示は省略している。
【００５４】
ところで、各硬貨の径寸法は、一円硬貨、五十円硬貨、五円硬貨、百円硬貨、十円硬貨、そして五百円硬貨の順に大きくなっている。そして前述のように一系硬貨貯留群４４６、五系硬貨貯留群４４７を搬送方向順に配置した場合においては、硬貨の分配をその径寸法のみで行おうとすると、搬送されてきた硬貨のうち、一円硬貨、百円硬貨、十円硬貨および五百円硬貨は、自らの径寸法よりも大きい硬貨の硬貨落下穴上を通過することがないため、一円硬貨落下穴Ｈ１、百円硬貨落下穴Ｈ２、十円硬貨落下穴Ｈ３および五百円硬貨落下穴Ｈ６にそれぞれ落下して分配することができる。しかしながら、五十円硬貨および五円硬貨については、五十円硬貨落下穴Ｈ４、五円硬貨落下穴Ｈ５に到達する前に百円硬貨落下穴Ｈ２に落下してしまい、五十円硬貨、五円硬貨および百円硬貨を金種別に分配することができない。図１２はこの場合における五十円硬貨の例を示したものである。
【００５５】
硬貨分配部４４５は、これらの問題を回避するため、基準面４４５ｄから離隔させずに径寸法より大きい寸法を有する落下穴に自由落下させる方式とソレノイド４４５ｅによって基準面４４５ｄから落下穴の基準面４４５ｄ側の端を越えるまで離隔させて自由落下させる方式とを併用している。図１３はこれらを示したものである。最も径の小さい一円硬貨は、その落下穴を基準面４４５から遠い側の寸法をその径よりわずか大きくした一円硬貨落下穴Ｈ１に自由落下する。この一円硬貨落下穴Ｈ１および百円硬貨落下穴Ｈ２，十円硬貨落下穴Ｈ３の基準面から遠い側の寸法は、残りの全ての硬貨が落下せず通過するよう２番目に径が小さい五十円硬貨の径より小さくしてある。また、図１３において、百円硬貨落下穴Ｈ２上を通過中の百円硬貨および十円硬貨落下穴Ｈ３を通過中の十円硬貨はソレノイド４４５ｅによって基準面４４５ｄからそれぞれ離隔させられている。百円硬貨が百円硬貨落下穴Ｈ２上を通過中であること、および十円硬貨が十円硬貨落下穴Ｈ３上を通過中であることの判定は、硬貨識別部４３８からの金種の識別情報、ベルト搬送機構４４５ｂからの搬送距離情報および搬送路４４５ａ上に設けられた不図示の硬貨検出センサからの硬貨検出情報に基づいて、制御部４４４が行うものである。
【００５６】
図１３において百円硬貨落下穴Ｈ２の配置について説明する。百円硬貨落下穴Ｈ２の基準面４４５ｄ側の縁は、基準面４４５ｄから離隔させるとともに、ソレノイド４４５ｅにより離隔させた百円硬貨の基準面４４５ｄに最も近い部分よりも基準面４４５ｄ側に位置させる。また、百円硬貨落下穴Ｈ２の反対側の縁は、図中一点鎖線で示す、基準面４４５ｄから五十円硬貨の径寸法だけ離れた領域より基準面４４５ｄ側に位置させる。さらに、基準面４４５ｄ側の縁と反対側の縁とは、離隔した百円硬貨の重心が百円硬貨落下穴Ｈ２上となるように、互いに距離を有するものとする。また、十円硬貨落下穴Ｈ３の配置も同様であり、詳細な説明は省略する。
【００５７】
これにより、百円硬貨落下穴Ｈ２上を通過した五十円硬貨は、その一部が基準面４４５ｄ側の縁および反対側の縁よりもそれぞれ外側の領域を通過するため、搬送路４４５aに支持されて百円硬貨落下穴Ｈ２に落下することが回避される。また、十円硬貨落下穴Ｈ３上の通過についても同様の作用により十円硬貨落下穴Ｈ３への落下が回避される。なお、五十円硬貨よりも径寸法の大きい五円硬貨が、百円硬貨落下穴Ｈ２および十円硬貨落下穴Ｈ３に落下しないことは言うまでもない。
【００５８】
百円硬貨の百円硬貨落下穴Ｈ２への落下について説明する。前述の通り、硬貨識別部４３８は、百円硬貨落下穴Ｈ２上を通過中の百円硬貨のみをソレノイド４４５ｅによって基準面４４５ｄから離隔させる。百円硬貨落下穴Ｈ２の基準面側の縁は、離隔した百円硬貨の最も基準面４４５ｄに近い部分よりも基準面４４５ｄに位置し、且つ離隔した百円硬貨の重心は百円硬貨落下穴Ｈ２上にあるため、離隔した百円硬貨は自重によって百円硬貨落下穴Ｈ２に落下する。十円硬貨の十円硬貨落下穴Ｈ３への落下についても同様であり、その詳細な説明は省略する。
【００５９】
また、十円硬貨が百円硬貨落下穴Ｈ２を通過する際には、ソレノイド４４５ｅは十円硬貨を基準面４４５ｄから離隔させないため、十円硬貨は、その一部が基準面４４５ｄ側の縁および反対側の縁より外側の領域を通過するため、搬送路４４５aに支持されて百円硬貨落下穴Ｈ２に落下することが回避される。
【００６０】
このように一系硬貨の落下穴である一円硬貨落下穴Ｈ１、百円硬貨落下穴Ｈ２および十円硬貨落下穴Ｈ３を落下することなく通過した五十円硬貨および五円硬貨、並びに五百円硬貨の五系硬貨については、十円硬貨落下穴Ｈ３の後方に設けた各硬貨の径寸法に対応した落下穴とした五十円硬貨落下穴Ｈ４、五円硬貨落下穴Ｈ５および五百円硬貨落下穴Ｈ６にそれぞれ落下させて分配することができる。なお、上記では、一円硬貨については、基準面４４５ｄから離隔しないで自由落下する方式として説明したが百円硬貨、十円硬貨と同様にソレノイド４４５ｅにより基準面４４５ｄから離隔して自由落下する方式とすることも可能である。このようにソレノイド４４５ｅを使用して落下穴の寸法を適切に設定することで硬貨の落下順は自由に設定できる。また、全ての硬貨に対してソレノイド４４５ｅによって基準面４４５ｄから離隔して自由落下させる方式を採用することも可能である。
【００６１】
上記の実施形態によれば、取引の経過に伴う硬貨の金種別の入出金累計枚数に着目し、五系硬貨貯留群４４７を構成する五十円硬貨貯留庫４４７ａ、五円硬貨貯留庫４４７ｂおよび五百円硬貨貯留庫４４７ｃの各容量を、一系硬貨貯留群４４６を構成する一円硬貨貯留庫４４６ａ、百円硬貨貯留庫４４６ｂおよび十円硬貨貯留庫４４６ｃの各容量よりも小さくするため、硬貨の回収および補充作業を増加させることなく、貨幣取扱装置を小型化できる。
【００６２】
また、上記の実施形態によれば、五系硬貨貯留群４４７を構成する五十円硬貨貯留庫４４７ａ、五円硬貨貯留庫４４７ｂおよび五百円硬貨貯留庫４４７ｃを互いに隣接配置するため、それぞれの駆動機構が共通化でき、貨幣取扱装置をより小型化できる。
【符号の説明】
【００６３】
Ｈ１                一円硬貨落下穴
Ｈ２                百円硬貨落下穴
Ｈ３                十円硬貨落下穴
Ｈ４                五十円硬貨落下穴
Ｈ５                五円硬貨落下穴
Ｈ６                五百円硬貨落下穴
１                  両面型給油販売装置
３                  給油装置
３２Ａ，３２Ｂ      給油部
４３                貨幣取扱装置
４３Ａ              筐体
４３１Ａ，４３２Ａ  硬貨投入口
４３８              硬貨識別部
４４５              硬貨分配部
４４５ａ            搬送路
４４６              一系硬貨貯留群
４４６ａ            一円硬貨貯留庫
４４６ｂ            百円硬貨貯留庫
４４６ｃ            十円硬貨貯留庫
４４７              五系硬貨貯留群
４４７ａ            五十円硬貨貯留庫
４４７ｂ            五円硬貨貯留庫
４４７ｃ            五百円硬貨貯留庫
【図１】
0003172640.tif 000003
【図２】
0003172640.tif 000004
【図３】
0003172640.tif 000005
【図４】
0003172640.tif 000006
【図５】
0003172640.tif 000007
【図６】
0003172640.tif 000008
【図７】
0003172640.tif 000009
【図９】
0003172640.tif 000010
【図１０】
0003172640.tif 000011
【図１１】
0003172640.tif 000012
【図１２】
0003172640.tif 000013
【図１３】
0003172640.tif 000014
【図１４】
0003172640.tif 000015
【図８】
0003172640.tif 000016